(57)【特許請求の範囲】
【請求項１】
低摩擦繊維を主材とし、管状部材に通線させるケーブルを包み込むための帯状部材と、
前記帯状部材の長手方向の縁部に沿って設けられ、前記ケーブルを包み込んだ前記帯状部材の縁部どうしを着脱自在に接続する接続部材と、
前記帯状部材の一端に取り付けられ、前記管状部材よりも長く設けられた帯状部材抜き取り用のワイヤと
を具備するケーブル布設治具。
【請求項２】
ケーブルを包み込み、前記ケーブルを管状部材に挿通させるための帯状部材であって、
前記ケーブルを覆う第１の面と、前記管状部材の内面に接触、挿通され、前記第１の面以上に低摩擦の第２の面と、第１、第２の端部と、第１、第２の縁部と、を有する帯状部材と、
前記帯状部材の第１の面上に、前記第１、第２の縁部それぞれに沿って配置され、互いに着脱可能に接続される接続部材と、
前記帯状部材と共に前記管状部材に挿通されるワイヤであって、前記帯状部材の第１の端部に接続される一端と、前記帯状部材が前記管状部材に挿通されたときに前記管状部材の外に配置される他端とを有し、前記他端を引っ張ることで、前記接続部材の接続を順に解除して前記帯状部材を前記管状部材から抜き取るためのワイヤと
を具備するケーブル布設治具。
【請求項３】
前記帯状部材が、フッ素コート繊維を主材とする低摩擦シートである請求項１または請求項２いずれか記載のケーブル布設治具。
【請求項４】
前記管状部材が電線管である請求項１乃至請求項３いずれか１項に記載のケーブル布設治具。
【請求項５】
前記接続部材が面ファスナーである請求項１乃至請求項４いずれか１項に記載のケーブル布設治具。
【請求項６】
帯状部材抜き取り用の第１ワイヤを先端に取り付けた低摩擦繊維を主材とする帯状部材でケーブルを包み、前記帯状部材の両縁に設けた接続部材で前記両縁を着脱自在に接続する工程と、
管状部材に通したケーブル引き抜き用の第２ワイヤの一端を前記ケーブルの端部に結んで前記管状部材のケーブル引き抜き側から前記第２ワイヤを引っ張ることで前記ケーブルを前記帯状部材と共に前記管状部材に通線させる工程と、
前記管状部材から露出した前記ケーブルを包んだ前記帯状部材の前記先端を折り返す工程と、
折り返した前記帯状部材の前記先端に結ばれている前記第１ワイヤを前記管状部材のケーブル入線側から引っ張ることで、前記帯状部材の前記両縁の接続を順に解除しながら前記帯状部材を前記管状部材から抜き取る工程と
を有するケーブル布設方法。
【発明の詳細な説明】
【技術分野】
【０００１】
本発明の実施形態は、ケーブル布設治具およびケーブル布設方法に関する。
【背景技術】
【０００２】
ケーブル布設工事では、例えば数十〜数百メートルといった比較的長い電線管へケーブルを通すことがあるが、このようなケーブル布設工事を行う上では、布設抵抗を軽減するために入線潤滑剤などを使用するのが一般的である。
【０００３】
入線潤滑剤はケーブルと電線管の摩擦抵抗を軽減させるためのものであり、一般的にはシリコンオイルや高分子ポリマーなどを主成分とする液体や泡状のものである。
【０００４】
このような潤滑剤は電線管への入線時にケーブルへ塗布し、ケーブル表面と電線管内面との摩擦を軽減させるものである。
【０００５】
したがって、その性質上、作業場所の床などの周囲を汚す恐れがあり、汚れ防止のために床面を養生する、といった間接的な作業が必要になる場合がある。
【先行技術文献】
【特許文献】
【０００６】
【特許文献１】特開２００４−０２６３３９号公報
【発明の概要】
【発明が解決しようとする課題】
【０００７】
ケーブル布設工事では、電線管などの管状部材にケーブルを通す際に、入線潤滑剤などを用いて互いの接触部分の摩擦抵抗を軽減する必要があり、ケーブルを通す管状部材が長い場合、ケーブルの布設が進むにつれて入線潤滑剤がすり落ちてしまうことから、摩擦抵抗が増えてしまいケーブルの布設が途中で困難になることもある。
【０００８】
本発明が解決しようとする課題は、管状部材とケーブルとの摩擦抵抗を機械的な仕組みにより低減しケーブル布設作業を省力化することができるケーブル布設治具およびケーブル布設方法を提供することにある。
【課題を解決するための手段】
【０００９】
実施形態のケーブル布設治具は、低摩擦繊維を主材とし、管状部材に通線させるケーブルを包み込むための帯状部材と、前記帯状部材の長手方向の縁部に沿って設けられ、前記ケーブルを包み込んだ前記帯状部材の縁部どうしを着脱自在に接続する接続部材と、前記帯状部材の一端に取り付けられ、前記管状部材よりも長く設けられた帯状部材抜き取り用のワイヤとを備える。
【００１０】
実施形態のケーブル布設方法は、帯状部材抜き取り用の第１ワイヤを先端に取り付けた低摩擦繊維を主材とする帯状部材でケーブルを包み、前記帯状部材の両縁に設けた接続部材で前記両縁を着脱自在に接続する工程と、管状部材に通したケーブル引き抜き用の第２ワイヤの一端を前記ケーブルの端部に結んで前記管状部材のケーブル引き抜き側から前記第２ワイヤを引っ張ることで前記ケーブルを前記帯状部材と共に前記管状部材に通線させる工程と、前記管状部材から露出した前記ケーブルを包んだ前記帯状部材の前記先端を折り返す工程と、折り返した前記帯状部材の前記先端に結ばれている前記第１ワイヤを前記管状部材のケーブル入線側から引っ張ることで、前記帯状部材の前記両縁の接続を順に解除しながら前記帯状部材を前記管状部材から抜き取る工程とを有する。
【図面の簡単な説明】
【００１１】
【図１】実施形態のケーブル布設治具の構成を示す外観図である。
【図２】ケーブル布設治具をケーブルの端に取り付けた状態を示す図である。
【図３】管状部材に通した補助ワイヤをケーブル端に結び付けた状態を示す図である。
【図４】管状部材にケーブルを貫通させた状態を示す図である。
【図５】露出端を折り返した帯状部材を管状部材から抜き取る状態を示す図である。
【発明を実施するための形態】
【００１２】
以下、図面を参照して、実施形態を詳細に説明する。  
【００１３】
（第１実施形態）  
図１は一つの実施の形態の管状部材としての電線管用のケーブル布設治具を示す図である。  
図１に示すように、この実施形態のケーブル布設治具は、帯状部材としての低摩擦シート１、帯状部材抜き取り用の第１ワイヤとしてのワイヤ３、複数の接続部材としての第１のファスナー２ａおよび第２のファスナー２ｂ、ケーブル引き抜き用の第２ワイヤとして補助ワイヤ９を備える。
【００１４】
低摩擦シート１はケーブル５を包み込み、管状部材としての電線管８にケーブル５と共に挿通させるためのシート状の部材である。低摩擦シート１は例えばフッ素コート繊維などを主材としている。
【００１５】
ここで低摩擦シート１とは、電線管８の内面とケーブル５の外周面との接触での摩擦係数に比べて電線管８の内面と低摩擦シート１の表面との接触での摩擦係数が極めて低いシートをいう。低摩擦シート１は電線管８とケーブル５との摩擦抵抗を軽減するための摩擦軽減部材である。
【００１６】
低摩擦シート１はケーブル５を覆う第１の面１ａと、管状部材としての電線管８の内面に接触、挿通され、第１の面１ａと同等かそれよりも低摩擦の第２の面１ｂとを有する。ケーブル５は単線でも複数本まとめた線であってもよい。
【００１７】
またこの低摩擦シート１は長手方向の一端である第１の端部１ｃと、この第１の端部１ｃとは反対側の他端である第２の端部１ｄと、長手方向の辺の部分の第１の縁部１ｅと、この第１の縁部１ｅと逆側の辺の部分の第２の縁部１ｆとを有する。
【００１８】
低摩擦シート１の第１の面１ａ上には複数の接続部材としての第１のファスナー２ａおよび第２のファスナー２ｂが縁部１ｅ、１ｆそれぞれに沿って配設されている。
【００１９】
第１のファスナー２ａと第２のファスナー２ｂとは互いに一定の引き離し力で着脱可能に接着（接続）されるもの、例えば面ファスナーなどである。
【００２０】
この他、一定の引き離し力で着脱自在な接続部材であれば、例えばスナップボタンや粘着テープ、その他のものであってもよい。
【００２１】
ワイヤ３はケーブル５を覆ってファスナー２ａ、２ｂを接着した状態の低摩擦シート１と共に電線管８に挿通される。
【００２２】
このワイヤ３は低摩擦シート１の第１の端部１ｃに接続された一端３ａと、低摩擦シート１が電線管８に挿通されたときに電線管８のケーブル入線側８ｂ（管状部）の外に配置される他端３ｂとを有する。
【００２３】
ワイヤ３はケーブル５と共に低摩擦シート１が電線管８に挿通された状態で他端３ｂを引っ張ることで、ケーブル５の先端側から第１のファスナー２ａと第２のファスナー２ｂ間の接続を順に解除して低摩擦シート１を電線管８から抜き取る（引きずり出す）ためのワイヤである。
【００２４】
以下、図２乃至図５を参照して上記ケーブル布設治具を用いたケーブル布設方法を説明する。  
この場合、まず、図２に示すように、抜き取り用のワイヤ３を先端に取り付けた低摩擦シート１でケーブル５を包み（覆い）、ケーブル５の先端５ａ（端部）に低摩擦シート１の上部を固着する。この際、先端が細くなるようにケーブル５の先端５ａ（端部）に低摩擦シート１を縛り付ける。そして低摩擦シート１の両縁１ｅ、１ｆに設けたファスナー２ａ、２ｂで両縁１ｅ、１ｆを接着する（図３参照）。
【００２５】
次に、図３に示すように、電線管８に通した補助ワイヤ９の一端をケーブル５の先端５ａ（端部）に結んで電線管８のケーブル引き抜き側８ａから補助ワイヤ９を引っ張ることで、ケーブル５を低摩擦シート１と共に電線管８に通線させ、図４に示すように、電線管８のケーブル引き抜き側８ａにケーブル５を露出させる。
【００２６】
そして、図５に示すように、電線管８から露出したケーブル５を包んだ低摩擦シート１の端部１ｃをケーブル入線側８ｂの側に向けて折り返す。この際、電線管８の中に入るように端部１ｃを折り返す。
【００２７】
最後に、折り返した低摩擦シート１の端部１ｃに結ばれているワイヤ３を、電線管８のケーブル入線側８ｂから引っ張ることで、電線管８とケーブル５との隙間において、低摩擦シート１の両縁１ｅ、１ｆの接着部分を引き剥がしながら（接続を順に解除しながら）低摩擦シート１を電線管８から抜き取る。
【００２８】
このようにこの実施形態のケーブル布設治具によれば、ケーブル５を低摩擦シート１で覆って電線管８に挿通することで、電線管８とケーブル５との摩擦抵抗を機械的な仕組みにより低減してケーブル５を電線管８に通線することができる。
【００２９】
また電線管８にケーブル５を通線した後、ワイヤ３をケーブル入線側８ｂから引っ張ることで、低摩擦シート１を電線管８から抜き取ることができるので、ケーブル布設治具の再利用が可能であり、ケーブル布設作業にかかるコストを低減することができる。
【００３０】
さらに、従来のように、ケーブル５に入線潤滑剤を塗布する必要がなくなるので、作業場所の床などの周囲を汚す恐れがなくなり、養生などの作業も不要になる。この結果、ケーブル布設作業を省力化することができる。
【００３１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１…低摩擦シート、２ａ，２ｂ…ファスナー、３…ワイヤ、５…ケーブル、８…電線管、９…補助ワイヤ。
【要約】 
【課題】電線管とケーブルとの摩擦抵抗を機械的な仕組みにより低減しケーブル布設作業を省力化する。
【解決手段】実施形態のケーブル布設治具は、低摩擦繊維を主材とし、管状部材に通線させるケーブルを包み込むための帯状部材と、前記帯状部材の長手方向の縁部に沿って設けられ、前記ケーブルを包み込んだ前記帯状部材の縁部どうしを着脱自在に接続する接続部材と、前記帯状部材の一端に取り付けられ、前記管状部材よりも長く設けられた帯状部材抜き取り用のワイヤとを備える。
【選択図】図１【図１】
0005987089.tif 000002
【図２】
0005987089.tif 000003
【図３】
0005987089.tif 000004
【図４】
0005987089.tif 000005
【図５】
0005987089.tif 000006